(57)【要約】【課題】  コンピュータシステムのリモートコントロール方法の提供。【解決手段】  コンピュータシステムユーザーが、無線リモートコントローラーのボタンを押すことでコンピュータシステムを遠隔制御でき、使用者がボタンを押してリモートコントロール信号を発射すると、コンピュータシステムの受信ユニットがこの信号を受け取った後に電気信号をチップユニットに送り、中断信号をＣＰＵに送らせ、ＣＰＵに現在実行中の作業を中断させ、中断サービスプログラムを実行させて、マルチメディア放送システムモード或いはその他のオペレーションシステムモードを実行させる。【選択図】        図２
2005235160.tif 000002
【特許請求の範囲】
【請求項１】
コンピュータシステムのリモートコントロール方法において、この方法はオペレーションシステムモード及びマルチメディア放送システムモードの存在中での制御に用いられ、  遠方より伝送された起動信号をコンピュータシステムの受信ユニットで受信するステップ、
該起動信号を受け取った受信ユニットが電気信号をコンピュータシステムを起動するチップユニットに送出するステップ、
該電気信号を受け取った該チップユニットが、中断信号を該コンピュータシステムのＣＰＵに送出するステップ、
該中断信号を受け取ったＣＰＵが、マルチメディア放送システムモードを起動するステップ、
以上のステップを具えたことを特徴とする、コンピュータシステムのリモートコントロール方法。
【請求項２】
請求項１記載のコンピュータシステムのリモートコントロール方法において、チップユニットがサウスブリッジチップとされたことを特徴とする、コンピュータシステムのリモートコントロール方法。
【請求項３】
請求項１記載のコンピュータシステムのリモートコントロール方法において、電気信号が中断要求信号とされ、該中断要求信号はチップユニットの中断制御ユニットに伝送され、該中断要求信号を受け取った中断制御ユニットが中断信号をＣＰＵに送出し、その後更に、
ＣＰＵが中断信号を受け取った後に現在実行中の動作を暫時停止し、並びに応答信号を該中断制御ユニットに送るステップ、
該応答信号を受け取った中断制御ユニットが中断データを該ＣＰＵに送るステップ、
該中断データを受け取ったＣＰＵが該中断データに基づきコンピュータシステムのＲＡＭを利用して中断サービスプログラムを実行し、マルチメディア放送システムモードを起動するステップ、
以上のステップを具えたことを特徴とする、コンピュータシステムのリモートコントロール方法。
【請求項４】
請求項３記載のコンピュータシステムのリモートコントロール方法において、中断信号を受け取ったＣＰＵが、現在実行中の動作を暫時停止後に、更に、全てのレジスタのデータを保存媒体に保存するステップを具えたことを特徴とする、コンピュータシステムのリモートコントロール方法。
【請求項５】
請求項３記載のコンピュータシステムのリモートコントロール方法において、中断データは中断制御ユニットが受け取った起動信号に基づいて中断ベクトルテーブルより読み取った対応するデータであることを特徴とする、コンピュータシステムのリモートコントロール方法。
【請求項６】
請求項３記載のコンピュータシステムのリモートコントロール方法において、中断ベクトルテーブルは中断サービスプログラムの開始アドレスを記録したものであることを特徴とする、コンピュータシステムのリモートコントロール方法。
【請求項７】
請求項１記載のコンピュータシステムのリモートコントロール方法において、電気信号はシステム中断管理信号とされ、それはチップユニットの電源管理ユニットに伝送され、該システム中断管理信号を受け取った電源管理ユニットは中断信号をＣＰＵに送り、その後更に、
中断信号を受け取ったＣＰＵが、現在実行中の動作を暫時停止してシステム管理モードに進入し、駆動信号と開始アドレスをノースブリッジチップユニットに送るステップ、
該駆動信号と開始アドレスを受け取ったノースブリッジチップユニットが、コンピュータシステムのＲＡＭの該開始アドレスに対応する部分にシステム管理ＲＡＭを提供するステップ、
中断サービスプログラムをシステム管理ＲＡＭに送るステップ、
該中断サービスプログラムを実行し、マルチメディア放送システムモードを実行するステップ、
を具えたことを特徴とする、コンピュータシステムのリモートコントロール方法。
【請求項８】
請求項７記載のコンピュータシステムのリモートコントロール方法において、中断信号を受け取ったＣＰＵが現在実行中の動作を暫時停止した後、更に、
全てのレジスタのデータを保存媒体に保存するステップ、
を具えたことを特徴とする、コンピュータシステムのリモートコントロール方法。
【請求項９】
請求項７記載のコンピュータシステムのリモートコントロール方法において、中断サービスプログラムが予めコンピュータシステムの基本入出力ユニットＲＯＭに保存されたことを特徴とする、コンピュータシステムのリモートコントロール方法。
【請求項１０】
コンピュータシステムのリモートコントロール方法において、
遠方より伝送された機能信号をコンピュータシステムの受信ユニットが受け取るステップ、
該機能信号を受け取った受信ユニットが電気信号をコンピュータシステムのチップユニットに伝送するステップ、
該電気信号を受け取ったチップユニットが中断信号をコンピュータシステムのＣＰＵに伝送するステップ、
該中断信号を受け取ったＣＰＵが、該コンピュータシステムの第１オペレーションシステムモードを暫時停止し、該コンピュータシステムの第２オペレーションシステムモードを実行するステップ、
以上を具えたことを特徴とする、コンピュータシステムのリモートコントロール方法。
【請求項１１】
請求項１０記載のコンピュータシステムのリモートコントロール方法において、チップユニットがサウスブリッジチップとされたことを特徴とする、コンピュータシステムのリモートコントロール方法。
【請求項１２】
請求項１０記載のコンピュータシステムのリモートコントロール方法において、電気信号が中断要求信号とされ、該中断要求信号はチップユニットの中断制御ユニットに伝送され、該中断要求信号を受け取った中断制御ユニットが中断信号をＣＰＵに送出し、その後更に、
ＣＰＵが中断信号を受け取った後に現在実行中の動作を暫時停止し、並びに応答信号を該中断制御ユニットに送るステップ、
該応答信号を受け取った中断制御ユニットが中断データを該ＣＰＵに送るステップ、
該中断データを受け取ったＣＰＵが該中断データに基づきコンピュータシステムのＲＡＭを利用して中断サービスプログラムを実行し、マルチメディア放送システムモードを起動するステップ、
以上のステップを具えたことを特徴とする、コンピュータシステムのリモートコントロール方法。
【請求項１３】
請求項１２記載のコンピュータシステムのリモートコントロール方法において、中断信号を受け取ったＣＰＵが、現在実行中の動作を暫時停止後に、更に、全てのレジスタのデータを保存媒体に保存するステップを具えたことを特徴とする、コンピュータシステムのリモートコントロール方法。
【請求項１４】
請求項１２記載のコンピュータシステムのリモートコントロール方法において、中断データは中断制御ユニットが受け取った起動信号に基づいて中断ベクトルテーブルより読み取った対応するデータであることを特徴とする、コンピュータシステムのリモートコントロール方法。
【請求項１５】
請求項１４記載のコンピュータシステムのリモートコントロール方法において、中断ベクトルテーブルは中断サービスプログラムの開始アドレスを記録したものであることを特徴とする、コンピュータシステムのリモートコントロール方法。
。
【請求項１６】
請求項１０記載のコンピュータシステムのリモートコントロール方法において、電気信号はシステム中断管理信号とされ、それはチップユニットの電源管理ユニットに伝送され、該システム中断管理信号を受け取った電源管理ユニットは中断信号をＣＰＵに送り、その後更に、
中断信号を受け取ったＣＰＵが、現在実行中の動作を暫時停止してシステム管理モードに進入し、駆動信号と開始アドレスをノースブリッジチップユニットに送るステップ、
該駆動信号と開始アドレスを受け取ったノースブリッジチップユニットが、コンピュータシステムのＲＡＭの該開始アドレスに対応する部分にシステム管理ＲＡＭを提供するステップ、
中断サービスプログラムをシステム管理ＲＡＭに送るステップ、
該中断サービスプログラムを実行し、第２オペレーションシステムモードを起動するステップ、
を具えたことを特徴とする、コンピュータシステムのリモートコントロール方法。
【請求項１７】
請求項１６記載のコンピュータシステムのリモートコントロール方法において、中断信号を受け取ったＣＰＵが現在実行中の動作を暫時停止した後、更に、
全てのレジスタのデータを保存媒体に保存するステップ、
を具えたことを特徴とする、コンピュータシステムのリモートコントロール方法。
【請求項１８】
請求項１６記載のコンピュータシステムのリモートコントロール方法において、中断サービスプログラムが予めコンピュータシステムの基本入出力ユニットＲＯＭに保存されたことを特徴とする、コンピュータシステムのリモートコントロール方法。
【請求項１９】
請求項１０記載のコンピュータシステムのリモートコントロール方法において、第１オペレーションシステムモードがウインドウズ系列のオペレーションシステムとされたことを特徴とする、コンピュータシステムのリモートコントロール方法。
【請求項２０】
請求項１０記載のコンピュータシステムのリモートコントロール方法において、第２オペレーションシステムモードがリナックスのオペレーションシステムとされたことを特徴とする、コンピュータシステムのリモートコントロール方法。
【発明の詳細な説明】
【技術分野】
【０００１】
本発明は一種のコンピュータシステムのリモートコントロール方法に係り、特にコンピュータシステムの中断（Ｉｎｔｅｒｒｕｐｔ）技術に係り、コンピュータシステムユーザーが遠距離よりコンピュータシステムにマルチメディア放送システムモード或いはその他のオペレーションシステムモードを実行させることができるようにする方法に関する。
【背景技術】
【０００２】
現在、科学技術の急速な発展に伴い、コンピュータシステムの具備する機能もますます強大となり、現在コンピュータはデータ処理、無線データ伝送、インターネット及びファクシミリ等、多種類の事務処理機能のほか、マルチメディア娯楽機能を有し、データ処理と娯楽を一体に整合して現代の大衆の多元化の要求に符合するものとなっており、ゆえに現代の忙しい大衆にとってコンピュータは不可欠の工具の一つとなっている。このほか、現在のコンピュータシステムは無線リモートコントローラーの使用が組み合わされ、コンピュータユーザーは、作業の合間にソファー等で休息する時、遠距離からコンピュータを操作してマルチメディアアプリケーションプログラムを使用し、映画を観たり音楽を聴いたりして仕事のストレスを緩和でき、ユーザーはリモートコントローラーを使用して音響設備やテレビジョンのように遠距離からコンピュータを制御でき、これにより操作上の便利性が高められている。
【０００３】
現在コンピュータシステムに組み合わされる無線リモートコントローラーの発送する信号の多くはキーボードのエンコーダで変換してコンピュータシステムのアプリケーションプログラムの操作を行なっており、即ち、ユーザーが無線リモートコントローラーのボタンを押して信号を発射する時、コンピュータの受信器が信号を受け取った後にキーボードエンコーダに伝送してスキャンコードのようにエンコード変換させ、その後、コンピュータシステムに伝送させてデコードさせ、対応する機能を実行させる。このような処理過程は複雑である。
【発明の開示】
【発明が解決しようとする課題】
【０００４】
本発明は上述の問題に対して、無線リモートコントローラーにコンピュータシステムの中断処理技術を組み合わせて、キーボードデコーダによる処理を不要とする一種のコンピュータシステムのリモートコントロール方法を提供するものである。
【０００５】
即ち、本発明の主要な目的は、一種のコンピュータシステムのリモートコントロール方法を提供することにあり、それは、コンピュータシステムの中断技術を組合せ、コンプータのキーボードエンコーダによる処理を不要とし、即ち遠方よりコンピュータシステムをリモートコントロールして作業を実行でき、ユーザーによるコンピュータシステム操作に便利な方法であるものとする。
【０００６】
本発明のコンピュータシステムのリモートコントロール方法は、ユーザーが無線リモートコントローラーのボタンを押してリモートコントロール信号を発射する時、コンピュータシステムの受信ユニットがこの信号を受信して電気信号をチップユニットに送る。その後、電気信号を受け取ったチップユニットが中断信号をコンピュータシステムのＣＰＵに送り、ＣＰＵに現在実行中の作業を中断させ、コンピュータシステム中断を発生する。最後に中断サービスプログラムを実行し、ユーザーが押圧したボタンに対応するマルチメディア放送システムモード或いはシステムソース消耗が低いオペレーションシステムモードを起動或いは実行する。
【課題を解決するための手段】
【０００７】
請求項１の発明は、コンピュータシステムのリモートコントロール方法において、この方法はオペレーションシステムモード及びマルチメディア放送システムモードの存在中での制御に用いられ、
遠方より伝送された起動信号をコンピュータシステムの受信ユニットで受信するステップ、
該起動信号を受け取った受信ユニットが電気信号をコンピュータシステムを起動するチップユニットに送出するステップ、
該電気信号を受け取った該チップユニットが、中断信号を該コンピュータシステムのＣＰＵに送出するステップ、
該中断信号を受け取ったＣＰＵが、マルチメディア放送システムモードを起動するステップ、
以上のステップを具えたことを特徴とする、コンピュータシステムのリモートコントロール方法としている。
請求項２の発明は、請求項１記載のコンピュータシステムのリモートコントロール方法において、チップユニットがサウスブリッジチップとされたことを特徴とする、コンピュータシステムのリモートコントロール方法としている。
請求項３の発明は、請求項１記載のコンピュータシステムのリモートコントロール方法において、電気信号が中断要求信号とされ、該中断要求信号はチップユニットの中断制御ユニットに伝送され、該中断要求信号を受け取った中断制御ユニットが中断信号をＣＰＵに送出し、その後更に、
ＣＰＵが中断信号を受け取った後に現在実行中の動作を暫時停止し、並びに応答信号を該中断制御ユニットに送るステップ、
該応答信号を受け取った中断制御ユニットが中断データを該ＣＰＵに送るステップ、
該中断データを受け取ったＣＰＵが該中断データに基づきコンピュータシステムのＲＡＭを利用して中断サービスプログラムを実行し、マルチメディア放送システムモードを起動するステップ、
以上のステップを具えたことを特徴とする、コンピュータシステムのリモートコントロール方法としている。
請求項４の発明は、請求項３記載のコンピュータシステムのリモートコントロール方法において、中断信号を受け取ったＣＰＵが、現在実行中の動作を暫時停止後に、更に、全てのレジスタのデータを保存媒体に保存するステップを具えたことを特徴とする、コンピュータシステムのリモートコントロール方法としている。
請求項５の発明は、請求項３記載のコンピュータシステムのリモートコントロール方法において、中断データは中断制御ユニットが受け取った起動信号に基づいて中断ベクトルテーブルより読み取った対応するデータであることを特徴とする、コンピュータシステムのリモートコントロール方法としている。
請求項６の発明は、請求項３記載のコンピュータシステムのリモートコントロール方法において、中断ベクトルテーブルは中断サービスプログラムの開始アドレスを記録したものであることを特徴とする、コンピュータシステムのリモートコントロール方法としている。
請求項７の発明は、請求項１記載のコンピュータシステムのリモートコントロール方法において、電気信号はシステム中断管理信号とされ、それはチップユニットの電源管理ユニットに伝送され、該システム中断管理信号を受け取った電源管理ユニットは中断信号をＣＰＵに送り、その後更に、
中断信号を受け取ったＣＰＵが、現在実行中の動作を暫時停止してシステム管理モードに進入し、駆動信号と開始アドレスをノースブリッジチップユニットに送るステップ、
該駆動信号と開始アドレスを受け取ったノースブリッジチップユニットが、コンピュータシステムのＲＡＭの該開始アドレスに対応する部分にシステム管理ＲＡＭを提供するステップ、
中断サービスプログラムをシステム管理ＲＡＭに送るステップ、
該中断サービスプログラムを実行し、マルチメディア放送システムモードを実行するステップ、
を具えたことを特徴とする、コンピュータシステムのリモートコントロール方法としている。
請求項８の発明は、請求項７記載のコンピュータシステムのリモートコントロール方法において、中断信号を受け取ったＣＰＵが現在実行中の動作を暫時停止した後、更に、
全てのレジスタのデータを保存媒体に保存するステップ、
を具えたことを特徴とする、コンピュータシステムのリモートコントロール方法としている。
請求項９の発明は、請求項７記載のコンピュータシステムのリモートコントロール方法において、中断サービスプログラムが予めコンピュータシステムの基本入出力ユニットＲＯＭに保存されたことを特徴とする、コンピュータシステムのリモートコントロール方法としている。
請求項１０の発明は、コンピュータシステムのリモートコントロール方法において、
遠方より伝送された機能信号をコンピュータシステムの受信ユニットが受け取るステップ、
該機能信号を受け取った受信ユニットが電気信号をコンピュータシステムのチップユニットに伝送するステップ、
該電気信号を受け取ったチップユニットが中断信号をコンピュータシステムのＣＰＵに伝送するステップ、
該中断信号を受け取ったＣＰＵが、該コンピュータシステムの第１オペレーションシステムモードを暫時停止し、該コンピュータシステムの第２オペレーションシステムモードを実行するステップ、
以上を具えたことを特徴とする、コンピュータシステムのリモートコントロール方法としている。
請求項１１の発明は、請求項１０記載のコンピュータシステムのリモートコントロール方法において、チップユニットがサウスブリッジチップとされたことを特徴とする、コンピュータシステムのリモートコントロール方法としている。
請求項１２の発明は、請求項１０記載のコンピュータシステムのリモートコントロール方法において、電気信号が中断要求信号とされ、該中断要求信号はチップユニットの中断制御ユニットに伝送され、該中断要求信号を受け取った中断制御ユニットが中断信号をＣＰＵに送出し、その後更に、
ＣＰＵが中断信号を受け取った後に現在実行中の動作を暫時停止し、並びに応答信号を該中断制御ユニットに送るステップ、
該応答信号を受け取った中断制御ユニットが中断データを該ＣＰＵに送るステップ、
該中断データを受け取ったＣＰＵが該中断データに基づきコンピュータシステムのＲＡＭを利用して中断サービスプログラムを実行し、マルチメディア放送システムモードを起動するステップ、
以上のステップを具えたことを特徴とする、コンピュータシステムのリモートコントロール方法としている。
請求項１３の発明は、請求項１２記載のコンピュータシステムのリモートコントロール方法において、中断信号を受け取ったＣＰＵが、現在実行中の動作を暫時停止後に、更に、全てのレジスタのデータを保存媒体に保存するステップを具えたことを特徴とする、コンピュータシステムのリモートコントロール方法としている。
請求項１４の発明は、請求項１２記載のコンピュータシステムのリモートコントロール方法において、中断データは中断制御ユニットが受け取った起動信号に基づいて中断ベクトルテーブルより読み取った対応するデータであることを特徴とする、コンピュータシステムのリモートコントロール方法としている。
請求項１５の発明は、請求項１４記載のコンピュータシステムのリモートコントロール方法において、中断ベクトルテーブルは中断サービスプログラムの開始アドレスを記録したものであることを特徴とする、コンピュータシステムのリモートコントロール方法としている。
としている。
請求項１６の発明は、請求項１０記載のコンピュータシステムのリモートコントロール方法において、電気信号はシステム中断管理信号とされ、それはチップユニットの電源管理ユニットに伝送され、該システム中断管理信号を受け取った電源管理ユニットは中断信号をＣＰＵに送り、その後更に、
中断信号を受け取ったＣＰＵが、現在実行中の動作を暫時停止してシステム管理モードに進入し、駆動信号と開始アドレスをノースブリッジチップユニットに送るステップ、
該駆動信号と開始アドレスを受け取ったノースブリッジチップユニットが、コンピュータシステムのＲＡＭの該開始アドレスに対応する部分にシステム管理ＲＡＭを提供するステップ、
中断サービスプログラムをシステム管理ＲＡＭに送るステップ、
該中断サービスプログラムを実行し、第２オペレーションシステムモードを起動するステップ、
を具えたことを特徴とする、コンピュータシステムのリモートコントロール方法としている。
請求項１７の発明は、請求項１６記載のコンピュータシステムのリモートコントロール方法において、中断信号を受け取ったＣＰＵが現在実行中の動作を暫時停止した後、更に、
全てのレジスタのデータを保存媒体に保存するステップ、
を具えたことを特徴とする、コンピュータシステムのリモートコントロール方法としている。
請求項１８の発明は、請求項１６記載のコンピュータシステムのリモートコントロール方法において、中断サービスプログラムが予めコンピュータシステムの基本入出力ユニットＲＯＭに保存されたことを特徴とする、コンピュータシステムのリモートコントロール方法としている。
請求項１９の発明は、請求項１０記載のコンピュータシステムのリモートコントロール方法において、第１オペレーションシステムモードがウインドウズ系列のオペレーションシステムとされたことを特徴とする、コンピュータシステムのリモートコントロール方法としている。
請求項２０の発明は、請求項１０記載のコンピュータシステムのリモートコントロール方法において、第２オペレーションシステムモードがリナックスのオペレーションシステムとされたことを特徴とする、コンピュータシステムのリモートコントロール方法としている。
【発明の効果】
【０００８】
本発明のコンピュータシステムのリモートコントロール方法は、ユーザーが無線リモートコントローラーを使用して遠方よりコンピュータシステムの作業を操作できるようにし、例えばマルチメディア放送システムモードを起動してＭＰ３、ＣＤ、ＤＶＤ、ＶＣＤ、ＴＶ及びブロードキャスティング受信を行なえるようにしたり、或いはシステムソース消耗が低いオペレーションシステムモードを実行できるようにする。本発明の方法はコンピュータシステムの中断技術を組み合わせることで、従来のコンピュータシステムのリモートコントロール技術に必要であったキーボードエンコーダによるエンコードとそのＣＰＵによるデコード処理を不要とする。
【０００９】
ゆえに本発明は新規性、進歩性、及び産業上の利用価値を有する発明であり、特許の要件を具備するものである。
【発明を実施するための最良の形態】
【００１０】
図１及び図２は本発明のブロック図及びフローチャートである。本発明のコンピュータシステムにはオペレーションシステムモードとマルチメディア放送システムモードがあり、コンピュータシステムは起動後に、起動オペレーションシステムモードを実行し、マルチメディア放送システムモードはＭＰ３、ＣＤ、ＤＶＤ、ＶＣＤ、ＴＶの放送及びブロードキャスティング受信を行なえる。コンピュータシステムユーザーはコンピュータシステムがオペレーションシステムモードを実行している状態で、コンピュータシステムのマルチメディア放送システムモードを実行したい時、無線リモートコントローラーのボタンを押し、無線リモートコントローラー１０はこれにより起動信号を受信ユニット１５に発射し、その後、受信ユニット１５は電気信号をチップユニット、即ちサウスブリッジチップ２０に送り、コンピュータシステムを中断させる。コンピュータシステム中断のモードは中断要求（Ｉｎｔｅｒｒｕｐｔ  Ｒｅｑｕｅｓｔ；ＩＲＱ）或いはシステム管理中断（Ｓｙｓｔｅｍ  Ｍａｎａｇｅｍｅｎｔ  Ｉｎｔｅｒｒｕｐｔ；ＳＭＩ）とされ得て、ゆえに電気信号は中断要求信号或いはシステム中断管理信号とされうる。図２のフローチャートはコンピュータシステム中断が中断要求モードとされる時の処理プロセスを示し、コンピュータシステムがシステム管理中断モードを実行する時の処理フローについては図３で説明を行なう。
【００１１】
ステップＳ１に示されるように、使用者が起動ボタンを押した時、無線リモートコントローラー１０は遠方より起動信号を受信ユニット１５に向けて発射する。続いてステップＳ２に示されるように、受信ユニット１５は起動信号を受け取った後に受信した起動信号に基づき中断要求信号をサウスブリッジチップ２０の中断制御ユニット２３に送る。その後、ステップＳ４に示されるように、ＣＰＵ３０が現在進行中の動作を停止し、即ちＣＰＵ３０の現在使用中のオペレーションシステムモードを中断し、並びに全てのレジスタのデータをノースブリッジチップユニット３５を通して保存媒体、例えばＲＡＭ４０中に記録し、且つＣＰＵ３０は順にノースブリッジチップユニット３５、第１バス４５、第１バスインタフェース５０を通して応答信号を中断制御ユニット２３に送る。
【００１２】
続いてステップＳ５に示されるように、応答信号を中断制御ユニット２３が受け取ると、該中断制御ユニット２３は第１バスインタフェース５０、第１バス４５及びノースブリッジチップユニット３５を順に通して中断データをＣＰＵ３０に送り、中断データは中断制御ユニット２３が受け取った中断要求信号に基づき中断ベクトルテーブルより読み取った対応するデータであり、中断データは起動ボタンに対応し、実行したい中断サービスプログラムの開始アドレスであり、中断ベクトル表は起動ボタンに対応して実行される中断サービスプログラムの開始アドレスを設定し、中断ベクトルテーブルはコンピュータシステムの基本入出力ユニットＲＯＭ５５中に保存される。コンピュータシステムが起動する時は、中断ベクトルテーブルがＲＡＭ４０中に読み込まれ、コンピュータシステムの中断時の読み取りに実行され、中断ベクトルテーブルは第２バス６０、第２バスインタフェース６５、第１バスインタフェース５０、第１バス４５及びノースブリッジチップユニット３５を通して伝送される。
【００１３】
最後にステップＳ６に示されるように、中断データがＣＰＵ３０に受け取られると、ＣＰＵ３０は獲得したＲＡＭ４０の開始アドレスに基づき、中断要求信号に対応する中断サービスプログラムを実行し、コンピュータシステムのマルチメディア放送システムモードを起動し、放送ＭＰ３、ＣＤ、ＤＶＤ、ＶＣＤ、ＴＶの放送及びブロードキャスティング受信を行なう。
【００１４】
図１と図３を併せて参照されたい。図３は本発明にシステム管理中断モードの使用を組み合わせて、コンピュータシステムをリモートコントロールする方法のフローチャートである。まず、ステップＳ１１に示されるように、コンピュータシステムユーザーがコンピュータシステムがオペレーションシステムモードを実行している状態で、無線リモートコントローラー１０の起動ボタンを押してマルチメディア放送システムモードを起動したい時、無線リモートコントローラー１０が起動信号を受信ユニット１５に発射する。続いてステップＳ１２に示されるように、起動信号を受け取った受信ユニット１５が電気信号、例えばシステム中断管理信号をチップユニットサウスブリッジチップ２０の電源管理ユニット２６に送る。その後、ステップＳ１３に示されるように、システム中断管理信号を受け取った電源管理ユニット２６が、中断信号をＣＰＵ３０に送る。その後、ステップＳ１４に示されるように、ＣＰＵ３０が現在実行中のオペレーションシステムモードを中断し、並びに全てのレジスタのデータをノースブリッジチップユニット３５を通してＲＡＭ４０或いはその他の非ハードディスクの保存媒体に保存し、システム管理モード（Ｓｙｓｔｅｍ  Ｍａｎａｇｅｍｅｎｔ  Ｍｏｄｅ；ＳＭＭ）に進入し、且つＣＰＵ３０は駆動信号及び開始アドレスをノースブリッジチップユニット３５に送る。
【００１５】
その後、ステップＳ１５に示されるように、駆動信号及び開始アドレスを受け取ったノースブリッジチップユニット３５が、該開始アドレスによりＲＡＭ４０内の該開始アドレスに対応する部分にセグメントを提供してシステム管理ＲＡＭ（Ｓｙｓｔｅｍ  Ｍａｎａｇｅｍｅｎｔ  ＲＡＭ；ＳＭＲＡＭ）となす。続いてステップＳ１６に示されるように、ＣＰＵ３０が基本入出力システムＲＯＭ５５内に保存された中断サービスプログラムをシステム管理ＲＡＭ内に伝送し、該中断サービスプログラムは第２バス６０、第２バスインタフェース６５、第１バスインタフェース５０、第１バス４５及びノースブリッジチップユニット３５を通して伝送される。最後に、ステップＳ１７に示されるように、中断サービスプログラムをシステム管理ＲＡＭが受け取った後に、ＣＰＵ３０が中断サービスプログラムを実行し、マルチメディア放送システムモードを起動する。
【００１６】
上述のステップＳ１６は、ステップＳ１３中のコンピュータの電源起動時に、予め中断サービスプログラムがメモリ内にロードされるステップとされてもよい。
【００１７】
システム管理ＲＡＭはＣＰＵ３０がシステム管理モードに未進入の時には第１バス４５のビデオ処理装置７０のアクセスメモリに接続されるが、平時にデータを特定アクセスメモリセグメントに伝送したい時は、該データは直接該ビデオ処理装置７０に接続されたビデオＲＡＭ（Ｖｉｄｅｏ  ＲＡＭ；ＶＲＡＭ）７５に伝送され、ゆえに実際には特定アクセスメモリセグメントにデータアクセスはなく、ゆえにＣＰＵ３０がシステム管理モードに進入する時には、システム管理ＲＡＭとされ得て、基本入出力ユニットＲＯＭ５５内に保存された中断サービスプログラムをシステム管理ＲＡＭ内に伝送することができる。
【００１８】
このほか、本発明のコンピュータシステムは第１オペレーションシステムモード及び第２オペレーションシステムモードを有し、第１オペレーションシステムモードは複数のアプリケーションプログラムをインストールでき、第１オペレーションシステムモードは例えばＷｉｎｄｏｗｓ（登録商標）系列のオペレーションシステム、例えば、Ｗｉｎｄｏｗｓ（登録商標）ＸＰ、Ｗｉｎｄｏｗｓ（登録商標）ＮＴ、Ｗｉｎｄｏｗｓ（登録商標）９８、Ｗｉｎｄｏｗｓ（登録商標）２０００及びＷｉｎｄｏｗｓ（登録商標）Ｍｅとされ、そのシステムソース消耗は大きい。第２オペレーションシステムモードはシステムソース消耗が低いオペレーションシステムであり、例えばＬｉｎｕｘオペレーションシステムとされ、第２オペレーションシステムモードは第１オペレーションシステムモードのアプリケーションプログラムを共有できる。ユーザーがコンピュータシステムの第１オペレーションシステムモード実行下で第２オペレーションシステムモードに切り換えて、アプリケーションプログラム起動の時間を短縮してコンピュータシステムのシステムソース消耗を減らしたい時は、上述の中断処理方式で切り換えを行なう。ユーザーはまずボタンを押して機能信号を受信ユニット１５に送る。その後、受信ユニット１５は機能信号を受け取ると、電気信号をコンピュータシステムのチップユニットサウスブリッジチップ２０に送る。続いて電気信号を受け取ったサウスブリッジチップ２０が中断信号をＣＰＵ３０に送る。最後に中断信号２を受け取ったＣＰＵ３０がコンピュータシステムの第１オペレーションシステムモードを暫時停止し、該コンピュータシステムの第２オペレーションシステムモードの実行に切り換える。受信ユニットが送出する電気信号は中断要求信号或いはシステム中断管理信号とされ、二種類の信号の中断処理方法は上述の図２と図３で述べたとおりである。
【００１９】
以上の実施例は本発明の請求範囲を限定するものではなく、本発明に基づきなしうる細部の修飾或いは改変は、いずれも本発明の請求範囲に属するものとする。
【図面の簡単な説明】
【００２０】
【図１】本発明のブロック図である。
【図２】本発明の好ましい実施例のフローチャートである。
【図３】本発明の別の好ましい実施例のフローチャートである。
【符号の説明】
【００２１】
１０  無線リモートコントローラー
１５  受信ユニット
２０  サウスブリッジチップ
２３  中断制御ユニット
２６  電源管理ユニット
３０  ＣＰＵ
３５  ノースブリッジチップユニット
４０  ＲＡＭ
４５  第１バス
５０  第１バスインタフェース
５５  基本入出力ユニットＲＯＭ
６０  第２バス
６５  第２バスインタフェース
７０  ビデオ処理装置
７５  ビデオＲＡＭ
【図１】
2005235160.tif 000003
【図２】
2005235160.tif 000004
【図３】
2005235160.tif 000005